(57)【要約】【課題】操作機能の付加、又は削除をローコストで行い、且つ機種交換を容易にすることのできる遊技機を提供する。【解決手段】遊技盤１２は本体ユニットに対して交換可能である。遊技盤１２に設けられたレール飾り３０には、図柄表示装置上の図柄の可変表示を停止させる図柄停止スイッチ３１〜３３を有した図柄停止スイッチユニット３５が組み込まれている。本体ユニット１１の前面を覆うガラス枠２８に設けられた図柄停止ボタン２１〜２３により図柄停止スイッチ３１〜３３のオン／オフを切り替えることができる。機種交換を行うにあたり遊技盤１２及びメモリや制御回路を交換するだけで、図柄停止機能の付加、又は削除を行うことができる。【選択図】        図４
2004222869.tif 000002
【特許請求の範囲】
【請求項１】
遊技を行うための遊技領域を有する遊技盤が設けられた本体部と、前記本体部の少なくとも一部を覆う前面枠とが設けられた遊技機において、
前記遊技盤を前記本体部に交換可能に設けるとともに、前記遊技盤に遊技に関わる操作を行うための操作スイッチを設け、前記前面枠に前記操作スイッチに対し少なくとも入力をさせ得る操作ボタンを設けたことを特徴とする遊技機。
【請求項２】
遊技を行うための遊技領域を有する遊技盤が設けられた本体部と、前記本体部の少なくとも一部を覆う前面枠とが設けられた遊技機において、
前記遊技盤を前記本体部に交換可能に設けるとともに、前記遊技盤に遊技に関わる操作を行うための操作スイッチを設け、前記前面枠に前記操作スイッチを外部から操作可能とする開口を設けたことを特徴とする遊技機。
【請求項３】
遊技を行うための遊技領域を有する遊技盤が設けられた本体部と、前記本体部の少なくとも一部を覆う前面枠とが設けられた遊技機において、
前記前面枠に開口部を備えさせ、該開口部に対し交換可能となるガラス枠を設けるとともに、前記ガラス枠に遊技に関わる操作を行うための操作スイッチを設けたことを特徴とする遊技機。
【請求項４】
前記操作スイッチに基づく入力操作に応答して点灯又は、消灯する光源を前記操作スイッチの内部に設けたことを特徴とする請求項１〜３いずれか記載の遊技機。
【発明の詳細な説明】
【０００１】
【発明の属する技術分野】
本発明は、遊技場に設置して使用されるパチンコ機などの遊技機に関するものである。
【０００２】
【従来の技術】
遊技機の一つであるパチンコ機はパチンコ店などの遊技場に設置されている。一般にパチンコ機を含む遊技機は、遊技中に作動される各種装置を遊技状態に応じて制御する制御回路装置などが設けられた本体部、本体部の前面側に取り付けられ、遊技者にゲーム上の特典を付与するための入賞口が前面側の遊技領域に少なくとも設けられた遊技盤、本体部の前面側に開閉自在に取り付けられ、遊技盤の前面側の少なくとも遊技領域を覆うガラス枠が設けられている。このようなパチンコ機は構成部品の多くを共通化することで、コストダウンや遊技場における機種交換の便宜を図っており、例えば、本体部を共通部品として遊技場に据え置きにして、遊技盤やガラス枠を新たに変更となる部品として交換できるようにしているものがある。
【０００３】
一方、パチンコ機は多種多様であり、機種によって様々な操作ボタンが設けられている。例えば、遊技機能として可変表示される図柄又は回転リールを停止させたり、遊技演出の一部を任意に操作するための遊技操作ボタンや、ＣＲ（カードリーダー）機と呼ばれ、電子カードを専用の機器に読み込ませることにより遊技媒体（パチンコ球）の払い出し実行が可能とされた機種における払い出しを促す球貸ボタンや電子カードを取り出すために操作される返却ボタン等がある。これら各種操作ボタンは、機種交換時に意匠変更に伴う配置移行や形状変更、又は遊技性に応じて各種操作ボタンそのものが不要となる場合があることから、パチンコ機本体部ごと全て交換されていた。
【０００４】
【発明が解決しようとする課題】
このため、前記各種操作ボタンを必要に応じて適宜共通化を図ってパチンコ機に使用することは困難であった。また、非接触型センサを用いたパチンコ機では、非接触型センサが設けられる遊技盤を交換部品として交換可能とすることにより、ボタン等の操作手段を不要とすることができる。ところが、非接触型センサを用いることにより、直接触れて操作する操作感触を失っており、また、故意でない誤った操作がされるなどの欠点があった。
【０００５】
本発明は、上記背景を考慮してなされたもので、遊技に関わる操作を行う入力手段の共通化を図り、また、状況に応じて任意に変更可能とすることにより、操作機能の付加、又は削除をローコストで行い、且つ機種交換を容易にすることのできる遊技機を提供することを目的とする。
【０００６】
【課題を解決するための手段】
上記目的を達成するために、本発明では、遊技を行うための遊技領域を有する遊技盤が設けられた本体部と、前記本体部の少なくとも一部を覆う前面枠とが設けられた遊技機において、前記遊技盤を前記本体部に交換可能に設けるとともに、前記遊技盤に遊技に関わる操作を行うための操作スイッチを設け、前記前面枠に前記操作スイッチに対し少なくとも入力をさせ得る操作ボタンを設けている。なお、前記操作スイッチに基づいて、電気的作動のオン／オフを行うようにしても良い。
【０００７】
また、遊技を行うための遊技領域を有する遊技盤が設けられた本体部と、前記本体部の少なくとも一部を覆う前面枠とが設けられた遊技機において、前記遊技盤を前記本体部に交換可能に設けるとともに、前記遊技盤に遊技に関わる操作を行うための操作スイッチを設け、前記前面枠に前記操作スイッチを外部から操作可能とする開口を設けている。
【０００８】
また、遊技を行うための遊技領域を有する遊技盤が設けられた本体部と、前記本体部の少なくとも一部を覆う前面枠とが設けられた遊技機において、前記前面枠に開口部を備えさせ、該開口部に対し交換可能となるガラス枠を設けるとともに、前記ガラス枠に遊技に関わる操作を行うための操作スイッチを設けている。
【０００９】
なお、前記操作スイッチに基づく入力操作に応答して点灯又は、消灯する光源を前記操作スイッチの内部に設けることが好ましい。
【００１０】
【発明の実施の形態】
図１、２は、本発明の第１実施形態であるパチンコ機１０を示している。パチンコ機１０は、略矩形状外枠の内部に各種装置及び制御回路装置を少なくとも備えさせる構造からなる本体ユニット１１、遊技盤１２、前面扉１３から構成されている。遊技盤１２には、図柄表示装置１４、始動口１５、通常入賞口１６、通過入賞口１７、アタッカ１８などの所定入賞口及びアウト口１９が設けられている遊技領域がある。また、図示は省略してあるが、遊技盤１２にはその他複数の障害釘や風車などが適宜箇所に設けられている。
【００１１】
本体ユニット１１には、パチンコ球発射装置、賞球払い出し装置、電源回路、ランプ、スピーカーなどの異機種でも使用できる共通部品が設けられている。また、本体ユニット１１の裏側には、図柄表示装置１４の表示制御、ランプの点灯制御、スピーカーから出力される音声制御などを行うサブ制御基板（装置）１１ａ及び機種に応じたゲームを実行処理させるメイン制御基板（装置）１１ｂが設けられている。
【００１２】
遊技盤１２には、所定の記憶媒体を介してメモリが設けられており、メイン制御基盤１１ｂのＣＰＵは遊技盤１２に設けられたメモリからプログラムを読み出してゲームを実行する。メイン制御基盤１１ｂとメモリの接続方法は公知であるコネクタ及び読み出し装置による接続など適宜の方法でよい。
【００１３】
遊技媒体として用いられるパチンコ球は操作ハンドル２０の操作による入力に基づいてパチンコ球発射装置によって一個ずつ遊技盤１２の遊技領域に打ち出されると、始動口１５、通常入賞口１６、通過入賞口１７、アウト口１９のいずれかに入る。始動口１５にパチンコ球が入ったときには図柄表示装置１４が作動され、表示されている図柄の可変表示が所定時間行われて当たり判定や演出処理が行われ所定図柄による組合せが停止表示される。また、図柄の可変表示は、図柄停止ボタン２１〜２３を押下操作することにより、任意のタイミングで停止させることもできる。そして、図柄の可変表示が停止されたときに入賞有効位置上に予め定められた図柄の組み合わせが得られると当たりとなり、遊技者にとって通常よりも有利となる遊技状態へと所定期間内移行される。
【００１４】
当たりが得られるときに生じる有利な遊技状態とは例えば開閉可能な扉部材を備えたアタッカ１８を１回につき所定時間又はパチンコ球が所定個数入賞するまで閉口状態から開口状態にし、これが所定回数繰り返される。始動口１５、通常入賞口１６又はアタッカ１８にパチンコ球が入賞すると所定個数の景品球となる賞球払い出しが行われる。始動口１５、通常入賞口１６又はアタッカ１８にパチンコ球が入賞しなかった場合は、未入賞のパチンコ球としてアウト口１９に入ってハズレ球として回収される。前記景品球は払い出し口２４から受皿２５に所定入賞口毎の入賞に応じて払い出される。
【００１５】
前面扉１３は、ヒンジ２６を用いた構成によって本体ユニット１１の前面に開閉自在に取り付けられている。前面扉１３の内側には、可視可能なガラス２７を保持したガラス枠２８が取り付けられている。ガラス枠２８は、前面扉１３の中央部に形成された開口１３ａに対して開閉される。
【００１６】
遊技盤１２は本体ユニット１１の遊技盤取付部１１ｃに着脱自在で交換可能に取り付けられる。本体ユニット１１の遊技盤取付部１１ｃ内の上下端部には、回転自在な遊技盤固定部材１１ｄが設けられている。この遊技盤固定部材１１ｄを、遊技盤１２の上下端部に形成された固定部材取付孔１２ａに挿通可能な回転位置とした状態で遊技盤１２が取り付けられる。そして、遊技盤１２を本体ユニット１１に取り付けた状態で遊技盤固定部材１１ｄを９０度回転することにより遊技盤１２は本体ユニット１１に対して固定される。
【００１７】
遊技盤１２の遊技領域を制限するレール２９の脇には、装飾としてレール飾り３０が設けられている。このレール飾り３０には、図柄表示装置１４上の図柄の可変表示を停止させる図柄停止スイッチ３１〜３３が設けられている。図柄の可変表示は異なる３つの表示領域にて変動をし、それぞれの表示領域毎に図柄停止スイッチ３１〜３３の入力操作にて停止するようにされている。なお、これら図柄停止スイッチ３１〜３３は、詳細は後述するが、保持部材としての台座や、操作されたことを検知するセンサ等とユニット化された状態でレール飾り３０に組み込まれている。
【００１８】
図柄停止スイッチユニット３５は、図柄停止スイッチ３１〜３３、図柄停止スイッチ３１〜３３を保持する台座の他に、それぞれの図柄停止スイッチに対して一組の透過型ホトインタラプタ、ＬＥＤ、コイルバネからなり、これら透過型ホトインタラプタ及びＬＥＤは、同一の回路基板に接続されている。以下、図柄停止スイッチ３１〜３３は同様の構造であるので、便宜的に図柄停止スイッチ３１を例に説明を行う。
【００１９】
図３に示すように図柄停止スイッチユニット３５は、遊技盤１２のレール飾り３０に組み込まれている。図柄停止スイッチ３１及び回路基板３６は台座３７に保持されている。回路基板３６には、透過型ホトインタラプタ３８及びＬＥＤ３９が接続されている。図柄停止スイッチ３１に形成された凹部３１ａには、コイルバネ４０ａが入り込んでおり、図柄停止スイッチ３１は弾性的に自己復帰するようになっている。図柄停止スイッチ３１が押下されると、図柄停止スイッチ３１の後端側に設けられた遮断片３１ｂが透過型ホトインタラプタ３８の隙間に入り込むことにより図柄停止スイッチ３１がオンされる。また、ガラス枠２８に設けられた開口４１には、図柄停止スイッチ３１のオン／オフの切り替え操作を行う図柄停止ボタン２１が組み込まれている。開口４１の後端側に形成されたフランジ４２と図柄停止ボタン２１との間にはコイルバネ４０ｂが入り込んでおり、図柄停止ボタン２１は弾性的に自己復帰するようになっている。
【００２０】
図４に示すようにガラス枠２８が前面扉１３と一体に本体ユニット１１の前面を覆うように前面扉１３によって閉じられると、ガラス枠２８とレール飾り３０、及び図柄停止ボタン２１と図柄停止スイッチ３１とは当接される。この状態から図５に示すように図柄停止ボタン２１を押下入力操作すると図柄停止スイッチ３１は押下されて、遮断片３１ｂが透過型ホトインタラプタ３８の隙間に入り込み図柄停止スイッチ３１がオンされる。
【００２１】
回路基板３６はハーネス４３によりサブ制御基板１１ａ（図柄制御装置等）、と接続される。サブ制御基板１１ａは、回路基板３６に接続したＬＥＤ３９の制御及び透過型ホトインタラプタ３８により検知された図柄停止スイッチ３１のオン信号に応答して各種装置を制御する。図柄表示装置１４上に表示されている図柄の可変表示が開始されるとサブ制御基板１１ａはＬＥＤ３９を点灯させる。図柄停止スイッチ３１がオンされるとサブ制御基板１１ａはＬＥＤ３９の点灯状態を制御して消灯させて遊技者に図柄停止ボタン２１が操作されたことの確認を促すとともに、図柄表示装置１４上の図柄の可変表示を停止させる。なお、図柄停止ボタン２１及び図柄停止スイッチ３１は、着色のある半透明の樹脂材により成形されているため、ＬＥＤ３９の発光は外部より観察することができる。
【００２２】
上記のように構成されたパチンコ機１０の作用について説明する。パチンコ機１０では、図柄停止スイッチ３１〜３３が本体ユニット１１に対して交換可能とされた遊技盤１２に設けられている。また、前面扉１３に装着させたガラス枠２８に設けた図柄停止ボタン２１〜２３の操作により図柄停止スイッチ３１〜３３をオン／オフさせることができる。そして、図柄停止スイッチ３１〜３３がオンされたことに応答して図柄表示装置１４上の可変表示されている図柄を任意のタイミングで停止させ得るようになる。
【００２３】
このような図柄停止機能を有したパチンコ機１０を、図柄停止機能を有していない機種となるように交換するには、本体ユニット１１を遊技場に据え置きにしたまま、前面扉１３を開いて、図柄停止スイッチ３１〜３３が設けられている遊技盤１２を取り外す。そして、新たな機種に対応してデザインが施されるとともに、図柄停止スイッチが設けられていない遊技盤を取り付ける。このように、本体ユニットを共通化して遊技盤及びメモリや制御回路を交換するだけで新たなデザイン及び遊技性を備えた機種となるように交換できるので、機種交換を行うにあたってパチンコ機１０全体を交換する必要がなくなり、コストダウンを図ることができる。
【００２４】
また、機種交換により図柄停止ボタン２１〜２３が設けられた前面扉１３に装着させたガラス枠２８は、図柄停止機能の有無に左右されないことから交換する必要性が少なく共通化が図れ、次回機種交換を行うにあたり図柄停止機能を有した機種となるように交換する場合にも、図柄停止スイッチが設けられた遊技盤への交換及びメモリや制御回路の交換だけでよい。また、図柄停止機能を備えていない場合には、遊技盤にＬＥＤ等の光源を設けて図柄停止ボタン２１〜２３の入力操作に基づく遊技状態に応じて点灯、消灯させる、又は単に遊技状態移行の報知機能として発光させるなどして、図柄停止ボタン２１〜２３を遊技演出、又は遊技状態報知に利用することができる。
【００２５】
なお、上記第１実施形態では、図柄停止ボタン２１〜２３をガラス枠２８に設けたが、図柄停止スイッチ３１〜３３の遊技盤１２上での配置に応じてガラス枠２８以外に設けてもよく、例えば、パチンコ機１０の前面に設けられた受皿２５、又は前面扉１３等でもよい。
【００２６】
本発明の第２実施形態では、図６に示すように第１実施形態と同様に図柄停止スイッチユニット３５が遊技盤１２のレール飾り３０に組み込まれている。前面扉１３には図柄停止スイッチユニット３５に対応するように開口４６が設けられている。遊技盤１２に対して前面扉１３が閉じられると、開口４６は図柄停止スイッチユニット３５に設けられた図柄停止スイッチ３１の前方に配される。これにより、図柄停止スイッチ３１は、開口４６を通して外部より直接操作されるようになる。
【００２７】
上記のような構成により、第２実施形態では、第１実施形態と同様に交換部となる遊技盤１２に図柄停止スイッチ３１〜３３を設けているので、図柄停止機能の付加、削除が容易に低コストで行える。また、図柄停止機能を有していない場合には、遊技盤１２に開口４６を通して観察される光源を設けることにより、開口４６は遊技演出として利用できる。なお、第１実施形態と同様に開口４６を設ける場所は、図柄停止スイッチ３１〜３３の遊技盤１２上での配置に応じて決められる。また、開口４６は、必要に応じて開口４６を着脱自在に塞ぐ目隠し部材４６’を装着させるようにしても良い。
【００２８】
図７は、本発明の第３実施形態であるパチンコ機５０を示している。なお、第１実施形態と同様箇所は同符号を付して説明は省略する。パチンコ機５０は、第１実施形態と同様に共通部品、各種制御装置が設けられた本体ユニット５１と本体ユニット５１の前面を覆う前面扉５２とからなる。本体ユニット５１には、第１実施形態と同様の遊技領域を有した遊技盤５３が一体に取り付けられている。前面扉５２には、軸状凸部を備えた取付部５２ａが設けられている。この取付部５２ａにガラス枠５４に設けられた取付穴５４ａを図中矢印のように係合させると、ガラス枠５４は、前面扉５２の中央部に形成された開口５２ｂに対して開閉自在となり、ガラス枠５４を閉じ状態で保持する回動式ロック手段５５ａによってガラス枠５４に設けられた固定係合部５６ａにて係合されることにより、着脱自在に交換可能となる。
【００２９】
ガラス枠５４には、図柄停止スイッチユニット３５が組み込まれており、図８に示すように回路基板３６と接続したハーネス４３はガラス枠５４の内部通路を通り背面側より抜けて、本体ユニット５１の前面に設けられたハーネス通路５１ａを介してサブ制御基板１１ａと接続される。これにより、ガラス枠５４の前面に設けられた図柄停止スイッチ３１〜３３の押下操作に応じて、図柄表示装置１４上の図柄の可変表示が停止され得るようになる。
【００３０】
上記のような構成により第３実施形態では、ガラス枠５４の交換及びメモリや制御回路を交換するだけで図柄停止機能を有していない機種となるように交換できるので、機種交換を行うにあたってパチンコ機５０全体を交換する必要がなくなり、コストダウンを図ることができる。なお、本実施形態ではガラス枠５４に前記メモリやＣＰＵ、ＲＯＭ、ＲＡＭなどから構成される制御回路を設けるようにしても良いことにする。
【００３１】
なお、上記第３実施形態では、図柄停止スイッチ３１〜３３を前面扉５２に対して交換可能なガラス枠５４に設けたが、ガラス枠５４以外でもパチンコ機の前面を本体ユニット５１に対して交換可能に覆う部材であればよく、例えば、パチンコ機の前面に交換可能に設けられている受皿等でもよい。
【００３２】
また、上記各実施形態では、遊技に関わる操作を行うための操作スイッチとして図柄停止スイッチ３１〜３３としたが、これ以外でもよく、例えば、ＣＲ機（カードリーダーによるデータ読み込み方式）における球貸ボタンや返却ボタンのスイッチとしてもよい。このように、遊技に関わる操作を行うための操作スイッチをＣＲ機における球貸ボタンや返却ボタンのスイッチとした場合には、ＣＲ機とＣＲ機以外の遊技機（例えば、現金機）との機種交換を容易に低コストで行えるので大変有益である。
【発明の効果】
以上のように、本発明の遊技機によれば、操作スイッチに基づく入力操作において、直接触れて操作する操作感触を損なうことなく、遊技操作機能の付加、又は削除を容易に低コストで行うことができる。
【図面の簡単な説明】
【図１】本発明の第１実施形態で用いたパチンコ機の外観斜視図である。
【図２】本体ユニットへの遊技盤の取り付け時の状態を示す外観斜視図である。
【図３】図柄停止スイッチと図柄停止ボタンとを示す断面図である。
【図４】図柄停止スイッチと図柄停止ボタンとが当接した状態を示す断面図である。
【図５】図柄停止ボタンが押下操作された様子を示す断面図である。
【図６】図柄停止スイッチが開口を通して外部より操作可能とされた状態を示す断面図である。
【図７】本発明の第３実施形態で用いたパチンコ機において、前面扉へのガラス枠の取り付け時の状態を示す外観斜視図である。
【図８】ガラス枠の正面図である。
【符号の説明】
１０、５０  パチンコ機
１１、５１  本体ユニット
１２、５３  遊技盤
１４  図柄表示装置
２１、２２、２３  図柄停止ボタン
２８、４５、５４  ガラス枠
３０  レール飾り
３１、３２、３３  図柄停止スイッチ
３５  図柄停止スイッチユニット
３６  回路基板
３８  透過型ホトインタラプタ
３９  ＬＥＤ
４６  開口
【図１】
2004222869.tif 000003
【図２】
2004222869.tif 000004
【図３】
2004222869.tif 000005
【図４】
2004222869.tif 000006
【図５】
2004222869.tif 000007
【図６】
2004222869.tif 000008
【図７】
2004222869.tif 000009
【図８】
2004222869.tif 000010